(57)【要約】【課題】プレハブ式階段が設けられる設置面の傾斜角度がどのような大きさの場合でも階段として利用することができると共に、１種類のステップ部材があれば足りるプレハブ式階段を提供する。【解決手段】設置面５１上に互いに略平行に配置された複数の長尺部材４４と、前記長尺部材４４の傾きが変わっても足の裏を支持する上面４２ａが水平になるように両端面が前記長尺部材４４に対して回動可能に設けられ、前記長尺部材４４の長さ方向に間隔をおいて複数並べて配置されたステップ部材４２とを備えた。【効果】設置面が急斜面であっても設置することができると共に、設置面の傾斜角度の変動に対応することができる。【選択図】図１
0003157858.tif 000002
【実用新案登録請求の範囲】
【請求項１】
設置面上に互いに略平行に配置された複数の長尺部材と、
前記長尺部材の傾きが変わっても足の裏を支持する上面が水平になるように両端面が前記長尺部材に対して回動可能に設けられ、前記長尺部材の長さ方向に間隔をおいて複数並べて配置されたステップ部材と
を備えたことを特徴とするプレハブ式階段。
【請求項２】
前記長尺部材及び前記ステップ部材は、合成樹脂製であることを特徴とする請求項１に記載のプレハブ式階段。
【請求項３】
前記長尺部材と前記ステップ部材は、互いをネジ締結により固定されたことを特徴とする請求項１又は２に記載のプレハブ式階段。
【請求項４】
長さ方向に互いに隣合う前記長尺部材の各々の端部にわたって接触し、ネジ締結により前記長尺部材の各々の端部に両端部が固定された板連結部材を備えたことを特徴とする請求項１ないし３のいずれかに記載のプレハブ式階段。
【請求項５】
前記板連結部材は、合成樹脂製であることを特徴とする請求項４に記載のプレハブ式階段。
【請求項６】
前記長尺部材と前記設置面に接触してそれぞれに固定される固定部材と、
下端部が前記設置面の内部に埋め込まれ、上端部が前記設置面から突き出したアンカーとを備え、
前記長尺部材が、前記固定部材と前記アンカーとを介して、前記設置面に固定されたことを特徴とする請求項１ないし５のいずれかに記載のプレハブ式階段。
【請求項７】
下端部が前記設置面の内部に埋め込まれ、上端部が前記設置面から突き出して前記長尺部材に固定するアンカ杭を備え、
前記長尺部材が、前記アンカ杭を介して前記設置面に固定されたことを特徴とする請求項１ないし５のいずれかに記載のプレハブ式階段。
【考案の詳細な説明】
【技術分野】
【０００１】
本考案は、プレハブ式階段に関するものである。
【背景技術】
【０００２】
プレハブ式階段は、例えば山間部における登山道や、工事現場等の傾斜のある設置面に簡単に取付けることができる階段として使用されるものである。図９及び図１０は、第１の従来のプレハブ式階段２（例えば、特許文献１参照）を説明するために参照する図である。
【０００３】
図９及び図１０に示すように、第１の従来のプレハブ式階段２は、複数のステップ部材４が、釘部材１２により互いに連結されて、階段状に構成されている。そして、これらのステップ部材４が、鋼棒１４、杭１６により傾斜のある設置面１１上に強固に固定されていた。
【０００４】
図９に示すように、ステップ部材４は、図中上側に踏み面６ａを有する踏み板部６と、踏み板部６の一端から図中下側に垂直に折れ曲がるように形成された蹴上げ部８と、踏み板部６の他端から図中上側に垂直に折れ曲がるように形成された取付板部１０とが、一体的に形成されていた。また、ステップ部材４には、その素材として耐腐食性、耐候性に優れた再生プラスチックが使用されていた。
【０００５】
そして、ステップ部材４の上側に配置された別のステップ部材４の蹴上げ部８の下端面が、上記ステップ部材４の踏み板部６の踏み面６ａに突き当てられると共に、別のステップ部材４の蹴上げ部８の設置面１１側の（裏側の）面が、前記ステップ部材４の取付板部１０の、設置面１１とは反対側の（表側の）面に当接されていた。
【０００６】
このとき、釘部材１２が、別のステップ部材４の蹴上げ部８の、設置面１１とは反対側（表側）から、別のステップ部材４の蹴上げ部８と、前記ステップ部材４の取付板部１０とを貫通するように打込まれて、ステップ部材４同士を互いに連結していた。
【０００７】
そして、釘部材１２よりも大きな釘のような形状の鋼棒１４が、ステップ部材４の踏み板部６の踏み面６ａから下方に打込まれて、ステップ部材４を貫通していた。この鋼棒１４の先端側が設置面１１を有する土中に深く突き刺さることにより、前記第１の従来のプレハブ式階段２は、互いに連結されたステップ部材４のそれぞれが設置面１１上に固定されていた。
【０００８】
さらに、図９及び図１０に示すように、最下段のステップ部材４が、設置面１１に沿う方向の土圧や、降雨時の水流の力等を受けて設置面１１の下流側に移動しないように、地中に打込まれた鋼棒１４よりさらに太い杭１６が土中に深く突き刺さることにより、設置面１１を有する土中に強固に固定されていた。
【０００９】
このため、前記第１の従来のプレハブ式階段２においては、階段状に形成されたステップ部材４の踏み面６ａを足場として利用して、人が昇降することができるようになっていた。
【００１０】
しかしながら、前記第１の従来のプレハブ式階段２においては、ステップ部材４を鋼棒１４で設置面１１に直接固定していたので、次のような問題があった。
【００１１】
すなわち、前記第１の従来のプレハブ式階段２を設置する設置面１１が、コンクリートのような平らな傾斜面になっていれば問題とはならないが、プレハブ式階段２は例えば山間部における登山道等の自然の傾斜地で使用される場合が多く、そのような自然の傾斜地には通常は凹凸があるので、そこに形成される設置面１１にも凹凸があった。
【００１２】
このような凹凸のある設置面１１に各ステップ部材４を釘部材１２により連結して設置した場合には、各ステップ部材４の着地状態にばらつきを生じ、時にはステップ部材４が地面から浮き上がったり、また、ステップ部材４が設置面１１の凹凸に沿うようにねじれたりすることがあった。
【００１３】
そのために、鋼棒１４による固定力が十分でない部分が生じると共に、ねじれた状態のステップ部材４を繰返し踏むことにより、鋼棒１４による固定力が低下してしまうので、ステップ部材４の設置面１１への固定が十分ではないという問題があった。
【００１４】
上記問題を解決する方法としては、予め設置面１１の凹凸をなくすために整地をすることが考えられるが、そのような整地をする作業には多くの労力がかかり、納期や価格の点で実行することが困難であった。
【００１５】
そこで、このような第１の従来のプレハブ式階段２の問題点に鑑みて、次のような第２の従来のプレハブ式階段２０が案出されている。
【００１６】
図１１及び図１２は、第２の従来のプレハブ式階段２０（例えば、特許文献２参照）を説明するために参照する図である。
【００１７】
図１１に示すように、第２の従来のプレハブ式階段２０は、複数のステップ部材２２が、釘部材３２により互いに連結されて、階段状に構成されている。そして、これらのステップ部材２２の連結部が、枠体固定部材２６により枠体２４上に強固に固定されていた。さらに、これらの枠体２４が、アンカー杭３４、アンカー杭固定釘部材３６により傾斜のある設置面３１上に強固に固定されていた。
【００１８】
図１１に示すように、ステップ部材２２は、前記第１の従来のプレハブ式階段２のステップ部材４と同様に、踏み板部と、蹴上げ部と、取付板部とが、一体的に形成されていた。そして、ステップ部材２２の上側に配置された別のステップ部材２２の蹴上げ部の下端面が、前記ステップ部材２２の踏み板部の踏み面（上面）に突き当てられると共に、別のステップ部材２２の蹴上げ部の設置面３１側の（裏側の）面が、前記ステップ部材２２の取付板部の、設置面３１とは反対側の（表側の）面に当接されていた。
【００１９】
このとき、釘部材３２が、別のステップ部材２２の蹴上げ部の、設置面３１とは反対の表側の面から、別のステップ部材２２の蹴上げ部と、前記ステップ部材２２の取付板部とを貫通するように打込まれて、ステップ部材２２同士を互いに連結していた。
【００２０】
そして、枠体固定部材２６が、ステップ部材２２同士の連結する部分に、ステップ部材２２の踏み板部の踏み面側から下方に打込まれて、ステップ部材２２を貫通して、その先端側が枠体２４に突き刺さることにより、前記第２の従来のプレハブ式階段２０は、互いに固定されたステップ部材２２の各々が枠体２４に固定されていた。
【００２１】
枠体２４は、二本の角柱状に形成され、その二本の角柱状の枠体２４が平行に配置されて、それらの間にステップ部材２２の両端部が固定されることにより、二本の枠体２４はステップ部材２２を介して互いに連結されていた。
【００２２】
そして、これらの枠体２４は、アンカー杭固定釘部材３６により、設置面３１に打ち込まれたアンカー杭３４の上端部に固定されていた。
【００２３】
このため、前記第２の従来のプレハブ式階段２０においては、設置面３１が凹凸のある傾斜面であってもその傾斜面を整地することなく、また、ステップ部材２２が設置面３１の凹凸に沿うようにねじれたりすることもなくなるので、ステップ部材２２を設置面３１に確実に固定することができるなどとされていた。
【先行技術文献】
【特許文献】
【００２４】
【特許文献１】登録実用新案第１７６９９９１号公報
【特許文献２】登録実用新案第３０６６４８３号公報
【考案の概要】
【考案が解決しようとする課題】
【００２５】
しかしながら、前記第２の従来のプレハブ式階段２０においては、設置面３１が水平方向に対して傾斜角度を有するものである場合は、その傾斜角度が大きくなると、次のような問題があった。
【００２６】
すなわち、図１２（ａ）に示すように、ステップ部材２２の踏み板部２２ａを階段の足場として利用するためには、その奥行き寸法Ｌを、足を置くことができる程度、すなわち、足裏の長さと同程度の幅にしておくことが必要であるといえる。
【００２７】
ところが、図１２（ｂ）に示すように、図１２（ａ）と比べて設置面３１の傾斜角度が大きくなると共に、前記奥行き寸法Ｌを、その傾斜角度が小さいときと同じ程度の幅にした場合は、蹴上げ部２２ｂの高さ寸法Ｈが大きくなる。そのため、設置面３１の傾斜角度の大きさがある程度以上になると、蹴上げ部２２ｂの高さ寸法Ｈが大きくなりすぎて、階段として利用することが困難になるという問題があった。
【００２８】
また、設置面３１の傾斜角度の大きさが種々に変化する場合には、傾斜角度の大きさごとに対応した形状のステップ部材２２が必要となるために、何種類ものステップ部材２２を用意しなければならず、ステップ部材２２の製作や在庫管理、搬送、設置作業が煩雑なものとなるという問題もあった。
【００２９】
そこで本考案は、上記問題点に鑑みて、プレハブ式階段が設けられる設置面の傾斜角度がどのような大きさの場合でも階段として利用することができると共に、１種類のステップ部材があれば足りるプレハブ式階段を提供することを課題とするものである。
【課題を解決するための手段】
【００３０】
上記課題を解決するために、本考案によるプレハブ式階段は、
設置面上に互いに略平行に配置された複数の長尺部材と、
前記長尺部材の傾きが変わっても足の裏を支持する上面が水平になるように両端面が前記長尺部材に対して回動可能に設けられ、前記長尺部材の長さ方向に間隔をおいて複数並べて配置されたステップ部材と
を備えたことを特徴とするものである。
【００３１】
また、本考案によるプレハブ式階段は、
前記長尺部材及び前記ステップ部材は、合成樹脂製であることを特徴とするものである。
【００３２】
また、本考案によるプレハブ式階段は、
前記長尺部材と前記ステップ部材は、互いをネジ締結により固定されたことを特徴とするものである。
【００３３】
また、本考案によるプレハブ式階段は、
長さ方向に互いに隣合う前記長尺部材の各々の端部にわたって接触し、ネジ締結により前記長尺部材の各々の端部に両端部が固定された板連結部材を備えたことを特徴とするものである。
【００３４】
また、本考案によるプレハブ式階段は、
前記板連結部材は、合成樹脂製であることを特徴とするものである。
【００３５】
また、本考案によるプレハブ式階段は、
前記長尺部材と前記設置面に接触してそれぞれに固定される固定部材と、
下端部が前記設置面の内部に埋め込まれ、上端部が前記設置面から突き出したアンカーとを備え、
前記長尺部材が、前記固定部材と前記アンカーとを介して、前記設置面に固定されたことを特徴とするものである。
【００３６】
また、本考案によるプレハブ式階段は、
下端部が前記設置面の内部に埋め込まれ、上端部が前記設置面から突き出して前記長尺部材に固定するアンカー杭を備え、
前記長尺部材が、前記アンカー杭を介して前記設置面に固定されたことを特徴とするものである。
【考案の効果】
【００３７】
このような本考案のプレハブ式階段によれば、
設置面上に互いに略平行に配置された複数の長尺部材と、
前記長尺部材の傾きが変わっても足の裏を支持する上面が水平になるように両端面が前記長尺部材に対して回動可能に設けられ、前記長尺部材の長さ方向に間隔をおいて複数並べて配置されたステップ部材とを備えたことにより、
プレハブ式階段が設けられる設置面の傾斜角度がどのような大きさの場合でも階段として利用することができると共に、１種類のステップ部材があれば足りるプレハブ式階段を実現することができる。
【００３８】
また、本考案のプレハブ式階段によれば、
前記長尺部材及び前記ステップ部材は、合成樹脂製であることにより、
部材を軽量にすることができるので、運搬作業を容易にすることができる。また、現場で状況にあわせた加工をすることができると共に、その加工を容易にすることができる。
【００３９】
また、本考案のプレハブ式階段によれば、
前記長尺部材と前記ステップ部材は、互いをネジ締結により固定されたことにより、
ネジ締結をする前には長尺部材とステップ部材を個別に搬送することができるので、運搬作業を容易にすることができると共に、ネジ締結により固定することができるので、固定作業を容易にすることができる。
【００４０】
また、本考案のプレハブ式階段によれば、
長さ方向に互いに隣合う前記長尺部材の各々の端部にわたって接触し、ネジ締結により前記長尺部材の各々の端部に両端部が固定された板連結部材を備えたことにより、
長尺部材を連結することができるので、プレハブ式階段を長距離にわたって設置することができる。
【００４１】
また、それぞれの長尺部材の長さをあまり長く形成しなくとも済むため、運搬作業を容易にすることができる。
【００４２】
また、互いに隣合う長尺部材の長さ方向に相対角度があっても、それらの長尺部材の端部間に板連結部材を固定することができるので、設置面の傾斜角度の大きさが途中から変化しても、そのような設置面にプレハブ式階段を設置することができる。
【００４３】
また、本考案のプレハブ式階段によれば、
前記板連結部材は、合成樹脂製であることにより、
部材を軽量にすることができるので、運搬作業を容易にすることができる。また、現場で状況にあわせた加工をすることができると共に、その加工を容易にすることができる。
【００４４】
また、本考案によるプレハブ式階段は、
前記長尺部材と前記設置面に接触してそれぞれに固定される固定部材と、
下端部が前記設置面の内部に埋め込まれ、上端部が前記設置面から突き出したアンカーとを備え、
前記長尺部材が、前記固定部材と前記アンカーとを介して、前記設置面に固定されたことにより、
設置面の地盤がコンクリートや岩等の硬い材質のものであっても、その設置面にプレハブ式階段を強固に固定することができる。
【００４５】
また、本考案によるプレハブ式階段は、
下端部が前記設置面の内部に埋め込まれ、上端部が前記設置面から突き出して前記長尺部材に固定するアンカー杭を備え、
前記長尺部材が、前記アンカー杭を介して前記設置面に固定されたことにより、
設置面が土砂等のコンクリートよりは柔らかい材質のものである場合に、プレハブ式階段を設置面に設置する作業を容易にすることができる。
【図面の簡単な説明】
【００４６】
【図１】本考案の第１の実施の形態に係るプレハブ式階段４０の側面図である。
【図２】図１に示すプレハブ式階段４０の図中左方から見た正面図である。
【図３】図１に示すプレハブ式階段４０の板連結部材４６近傍の部分拡大側面図である。
【図４】図２に示すプレハブ式階段４０の板連結部材４６近傍の部分拡大正面図である。
【図５】図１に示すプレハブ式階段４０のステップ部材４２と板部材４４との固定方法を説明するための部分拡大側面図である。
【図６】図１に示すプレハブ式階段４０の設置面の傾斜角度の大きさが途中で変化している場合を説明するための側面図である。
【図７】図７（ａ）と（ｂ）は、図１に示すプレハブ式階段４０の傾斜角度が違う場合のステップ部材４２と板部材４４との固定状態の違いを説明するための側面図である。
【図８】本考案の第２の実施の形態に係るプレハブ式階段７０の側面図である。
【図９】第１の従来のプレハブ式階段２を示す側面図である。
【図１０】第１の従来のプレハブ式階段２を示す上面図である。
【図１１】第２の従来のプレハブ式階段２０を示す側面図である。
【図１２】図１２（ａ）と（ｂ）は、互いに比較して第２の従来のプレハブ式階段２０の問題点を説明するための側面図である。
【考案を実施するための形態】
【００４７】
以下、本考案に係るプレハブ式階段の実施の形態について、図面に基づいて具体的に説明する。図１ないし図７は、本考案の第１の実施の形態に係るプレハブ式階段４０について説明するために参照する図である。
【００４８】
本考案の第１の実施の形態に係るプレハブ式階段４０は、図１及び図２に示すように、複数のステップ部材４２と、この複数のステップ部材４２の一端部のそれぞれ、及び他端部のそれぞれを繋ぐように、二列に配置された板部材４４（長尺部材）により構成されている。
【００４９】
そして、板部材４４は、その長さ方向の端部間が互いに板連結部材４６により連結されて、長さ方向に継ぎ足し可能に延長されており、アンカーボルト４８と、固定部材５０を介して、材質がコンクリートで、水平方向に対して傾斜のある設置面５１上に固定されている。
【００５０】
ステップ部材４２は、再生プラスチック（合成樹脂）製であり、図４に示すように、その両端が図中下側に垂直に折れ曲がったような、コの字状に形成されている。そして、前記折れ曲がった側の両先端部とは反対側の表面（図中上面）には、階段として利用する際に足を滑らすことがないように、上面に凹凸加工等が施されているステップ面４２ａ（上面）が形成されている。
【００５１】
また、ステップ部材４２には、その両端部の上記図中下側に垂直に折れ曲がった部分のそれぞれに、ステップ部材４２と板部材４４との固定に用いるための、頭付きボルト５２が緩く挿通するボルト孔４２ｂ（図５参照）が２個ずつ形成されている。
【００５２】
板部材４４は、再生プラスチック（合成樹脂）製であり、図１及び図２に示すように、長い矩形の板状に形成されており、その厚さより大きい幅を有する表裏両面のいずれかが、複数のステップ部材４２の両端面に接触して、ステップ部材４２を直角方向に挟むように、二列に並んで平行に配置されている。
【００５３】
そして、図１，３に示すように、板部材４４の長さ方向が設置面５１の傾斜に対して略平行になるように配置され、その板部材４４の厚さ方向及び長さ方向に平行な一方の側面が、設置面５１に接触するように配置されている。
【００５４】
板部材４４には、図１に示すように、複数のステップ部材４２のそれぞれのステップ面４２ａが水平になるように、ステップ部材４２が設けられている。
【００５５】
このため、図５に示すように、ステップ部材４２の２つのボルト孔４２ｂに対応する位置に、ステップ部材４２と板部材４４との固定に用いるための、頭付きボルト５２が緩く挿通するボルト孔が各２個ずつ並んで形成されている。
【００５６】
そして、ステップ部材４２と板部材４４は、図２に示すように互いに配置されて、図４に示すように、それぞれのボルト孔を頭付きボルト５２が挿通し、ナット５４により締め付けられるネジ締結により、互いに固定されている。
【００５７】
このため、ステップ部材４２と板部材４４は、頭付ボルト５２とナット５４によるネジ締結により固定される前には、それぞれを個別に搬送することができるので、運搬作業を容易にすることができる。また、ステップ部材４２と板部材４４は、頭付きボルト５２とナット５４によるネジ締結により固定することができるので、固定作業を容易にすることができる。
【００５８】
また、図１及び図３に示すように、１つの板部材４４の長さ方向の両端部それぞれには、板連結部材４６との固定に用いるための、頭付きボルト５６が緩く挿通するボルト孔が２個ずつ形成されている。
【００５９】
また、図３に示すように、板部材４４の設置面５１に接触する面と直交する面には、板部材４４と固定部材５０との固定に用いるための、頭付きボルト６０が緩く挿通するボルト孔が各２個ずつ、板部材４４の長さ方向に間隔をおいて並んで形成されている。
【００６０】
図３及び図４に示すように、板連結部材４６は、再生プラスチック（合成樹脂）製であり、略矩形の板状に形成されている。そして、板連結部材４６の両端部には、板部材４４同士をその長さ方向の端部において連結するために、それらの端部に形成されたボルト孔に対応する位置に、頭付きボルト５６が緩く挿通するボルト孔が各２個ずつ形成されている。
【００６１】
そして、図３に示すように、板連結部材４６は、互いに隣り合う板部材４４それぞれの端部にわたって接触して、図４に示すように、それぞれのボルト孔を頭付きボルト５６が挿通し、ナット５８により締め付けられるネジ締結により、互いに隣り合う板部材４４の端部同士を連結している。
【００６２】
そのため、板部材４４同士がその長さ方向にいくつも連結できるようになっているので、プレハブ式階段４０を長距離にわたって設置することができる。また、それぞれの板部材４４の長さをあまり長く形成しなくとも済むため、その運搬作業を容易にすることができる。
【００６３】
また、設置面５１の傾斜角度の変動により、隣り合う板部材４４のそれぞれの長さ方向が互いに相対角度を有する場合であっても、板連結部材４６の板部材４４への固定時に、板連結部材４６の板部材４４への取り付け角度を調節することができるので、板部材４４を設置面５１の傾斜角度の変動に合わせて固定することができる。
【００６４】
すなわち、具体的には、例えば図６に示すように、図中左側の設置面５１の傾斜角度の大きさが、図中右側の設置面５１の傾斜角度より大きい場合には、２つの板部材４４が、それぞれが設置される設置面５１の傾斜に対して略平行になるように、板部材４４の厚さと長さを有する２つの側面の一方の側面が設置面５１に沿って配置されている。
【００６５】
そして、板連結部材４６は、この２つの板部材４４の長さ方向に互いに隣り合うそれぞれの端部の両方にわたって接触して、ネジ締結により２つの板部材４４のそれぞれの端部に板連結部材４６の両端部が固定されるようになっている。
【００６６】
このため、設置面５１の傾斜角度の大きさが途中で変動しても、板部材４４への板連結部材４６の固定時に、板部材４４に対して傾けて固定するよう、取り付け角度を調節することにより、板部材４４の長さ方向の軸線を折り曲げて連結することができる。
【００６７】
また、ステップ部材４２と板部材４４と板連結部材４６のそれぞれは、再生プラスチック（合成樹脂）製であることから、各々の部材を軽量にすることができるので、運搬作業を容易にすることができる。また、現場で状況にあわせた加工をすることができると共に、その加工を容易にすることができる。
【００６８】
図３及び図４に示すように、固定部材５０は、その断面形状がＬ字状に形成されており、そのＬ字状の外側の一方の面が板部材４４と接触しており、他方の面が設置面５１と接触している。
【００６９】
そして、固定部材５０の板部材４４と接触する面には、板部材４４と固定部材５０との固定に用いるための、頭付きボルト６０が緩く挿通するボルト孔が２個形成されている。そして、板部材４４と固定部材５０とは、板部材４４のボルト孔と、固定部材５０のボルト孔とを頭付きボルト６０が挿通し、ナット６２により締め付けられることにより互いを固定されている。
【００７０】
また、固定部材５０の設置面５１に接触する面には、コンクリート中から突き出したアンカー４８の上端部を緩く挿通するためのボルト孔が形成されている。そして、固定部材５０は、設置面５１から突き出したアンカー４８の上端部をボルト孔に挿通させ、そのボルト孔の上から、アンカー４８の上端部に形成されたネジ部にナット６４を締め付けることにより、固定部材５０が設置面５１上に固定されている。
【００７１】
アンカー４８の下端部は、予めドリル等によりコンクリートの設置面５１に孔が空けられた場所に、押し込まれて又は叩き込まれてコンクリート中に固定されている。
【００７２】
このため、板部材４４を、アンカー４８と固定部材５０とを介して、設置面５１に固定することができるので、設置面５１の地盤がコンクリートや岩等の硬い材質のものであっても、その設置面５１にプレハブ式階段４０を強固に固定することができる。
【００７３】
このような本発明の第１の実施の形態に係るプレハブ式階段４０を用いて、ステップ部材４２と板部材４４とをネジ締結する手順について、以下に説明する。
【００７４】
まず、図５に示すように、ステップ部材４２と板部材４４とは、１つの頭付ボルト５２とナット５４によるネジ締結により緩く固定されている。そのため、ステップ部材４２は、ネジ締結された部分を中心に回転することができるようになっている。そして、板部材４４を設置面５１に固定した後に、ステップ部材４２をステップ面４２ａが水平になるように回転させる。
【００７５】
ステップ部材４２のステップ面４２ａが水平になる位置が定まったら、板部材４４の、ステップ部材４２のボルト孔４２ｂに対応する場所に、ボルト孔を新たに形成する。ここで、ステップ部材４２と板部材４４とは、再生プラスチック製であるので、設置作業をするときに容易に加工することができる。
【００７６】
板部材４４にボルト孔を形成した後には、ステップ部材４２と板部材４４とを、新たな頭付ボルト５２とナット５４を用いてネジ締結により固く固定すると共に、上記の緩く固定されていた頭付ボルト５２とナット５４も固く固定する。
【００７７】
このように、板部材４４の設置作業をする際にその板部材４４に、ステップ部材４２をそのステップ面４２ａが水平になるように取り付けることができるので、板部材４４は設置面５１の傾斜角度が水平から垂直までの範囲の、どのような大きさの角度であっても設置することができる。
【００７８】
例えば、図７（ａ）に示すように、板部材４４の傾斜角度が３０度位の緩斜面であっても、或いは図７（ｂ）に示すように、板部材４４の傾斜角度が８０度位の急斜面であっても、設置作業時に設置面５１の傾斜角度にかかわらず、ステップ部材４２のステップ面４２ａが、水平となるよう取り付けることができるので、設置面５１の傾斜角度のどのような大きさにも対応することができる。
【００７９】
このような本考案の第１の実施の形態に係るプレハブ式階段４０によれば、設置面５１の傾斜角度にかかわらず、ステップ部材４２のステップ面４２ａを水平にすることができるので、設置面５１の傾斜角度がどのような大きさの場合でも階段として利用することができると共に、１種類のステップ部材４２があれば足りるプレハブ式階段を実現することができる。
【００８０】
次に、図８は、本考案の第２の実施の形態に係るプレハブ式階段７０について説明するために参照する図である。前記第１の実施の形態と同様の部分には同じ符号を用いて説明し、同様の構成についての重複する説明は省略するものとする。
【００８１】
前記第１の実施の形態に係るプレハブ式階段４０においては、板部材４４はアンカー４８と、固定部材５０を介して、材質がコンクリートの傾斜のある設置面５１上に固定されていたが、この第２の実施の形態に係るプレハブ式階段７０においては、図８に示すように、板部材４４はアンカー杭７２を介して、材質が柔らかい土の傾斜のある設置面７１上に固定されている。
【００８２】
アンカー杭７２は、下端部が設置面７１に打ち込まれ、上端部が設置面７１から突き出している。このアンカー杭７２の突き出した上端部が、釘部材７４により板部材４４の側面に固定されている。
【００８３】
このような本考案の第２の実施の形態に係るプレハブ式階段７０によれば、板部材４４を、アンカー杭７２を介して、コンクリートよりは柔らかい材質の、例えば硬目の土の設置面７１に固定することができ、かつアンカー杭７２を設置面７１に固定する作業は、アンカー杭７２を打ち込むだけですむので、プレハブ式階段７０を設置面７１に設置する作業を容易にすることができる。
【００８４】
なお、前記第１及び第２の実施の形態に係るプレハブ式階段４０，７０においては、ステップ部材４２は、コの字状に形成されていたが、このような形状に限定される必要はない。例えば、蹴上げ部を有したり、蹴上げ部に相当するものを取り付けられるようになっていてもよい。
【００８５】
また、前記第１及び第２の実施の形態に係るプレハブ式階段４０，７０においては、板部材４４は、長い矩形の板状に形成されていたが、このような形状に限定される必要はなく、他のどのような形状を用いてもよい。
【００８６】
また、前記第１及び第２の実施の形態に係るプレハブ式階段４０，７０においては、板連結部材４６は、略矩形の板状に形成されていたが、このような形状に限定される必要はなく、他のどのような形状を用いてもよい。
【００８７】
また、前記第１及び第２の実施の形態に係るプレハブ式階段４０，７０においては、互いに平行に配置された一対の板部材４４は、ステップ部材４２を介して連結されるようになっていたが、一対の板部材４４はステップ部材４２のみだけでなく、板部材４４の間に他の補強部材をも挟みこんで、それをも介して連結されるようになっていてもよい。
【符号の説明】
【００８８】
２  プレハブ式階段
４  ステップ部材
６  踏み板部
６ａ  踏み面
８  蹴上げ部
１０  取付部材
１１  設置面
１２  釘部材
１４  鋼棒
１６  杭
２０  プレハブ式階段
２２  ステップ部材
２２ａ  踏み板部
２２ｂ  蹴上げ部
２４  枠体
２６  枠体固定部材
３１  設置面
３２  釘部材
３４  アンカー杭
３６  アンカー杭固定釘部材
４０  プレハブ式階段
４２  ステップ部材
４２ａ  ステップ面
４２ｂ  ボルト孔
４４  板部材
４６  板連結部材
４８  アンカー
５０  固定部材
５１  設置面
５２  頭付きボルト
５４  ナット
５６  頭付きボルト
５８  ナット
６０  頭付きボルト
６２  ナット
７０  プレハブ式階段
７１  設置面
７２  アンカー杭
７４  釘部材
【図１】
0003157858.tif 000003
【図２】
0003157858.tif 000004
【図３】
0003157858.tif 000005
【図４】
0003157858.tif 000006
【図５】
0003157858.tif 000007
【図６】
0003157858.tif 000008
【図７】
0003157858.tif 000009
【図８】
0003157858.tif 000010
【図９】
0003157858.tif 000011
【図１０】
0003157858.tif 000012
【図１１】
0003157858.tif 000013
【図１２】
0003157858.tif 000014